(57)【要約】【課題】缶飲料などの商品を冷却若しくは加温して販売する自動販売機に関し、消費電力量の削減を図るとともに、加温による商品の劣化を防止する自動販売機の提供を目的とする。【解決手段】商品収納庫を冷却若しくは加温可能に配置され、炭化水素系の自然冷媒を封入したヒートポンプシステム１４０と、商品収納庫を加温可能に配置され、二酸化炭素を封入した加温システム２００によって構成されることにより、ヒートポンプシステム１４０の冷却によって生じる廃熱を利用して加温を行うとともに、加温システムにより加温補助を行うことで、システム効率を向上させ、消費電力量を削減し、さらに、商品収納庫上部にヒートポンプシステムの熱交換器を配設することで、予備加温層と販売加温層に分割することができ、加温による商品の劣化を防止することができる。【選択図】図４
2005202639.tif 000002
【特許請求の範囲】
【請求項１】
複数の商品収納庫を有し、前記商品収納庫内に投入された商品を冷却若しくは加温し、販売口より販売する自動販売機において、前記商品収納庫内を冷媒切替回路を用いて冷却若しくは加温可能に配置したヒートポンプシステムと、前記商品収納庫内を加温可能に配置した加温システムとからなる自動販売機。
【請求項２】
前記ヒートポンプシステムを構成する圧縮機と、前記加温システムを構成する圧縮機の少なくとも一方が、運転周波数変換手段を有したインバータ圧縮機である請求項１に記載の自動販売機。
【請求項３】
前記ヒートポンプシステムと前記加温システムにおいて異なる冷媒を用いた請求項１または２に記載の自動販売機。
【請求項４】
前記ヒートポンプシステムの冷媒に炭化水素系の自然冷媒を用い、かつ前記加温システムの冷媒に二酸化炭素を用いた請求項３に記載の自動販売機。
【請求項５】
前記加温システムを構成している圧縮機が複数のシリンダを有する多段階の圧縮を行なう回転型圧縮機である請求項１から４のいずれか一項に記載の自動販売機。
【請求項６】
前記商品収納庫内の前記ヒートポンプシステムを構成する熱交換器が前記商品収納庫内上部に配設され、前記加温システムを構成する凝縮器が前記商品収納庫下部に配設された請求項１から５のいずれか一項に記載の自動販売機。
【請求項７】
前記商品収納庫の少なくとも一つが加温モードであるとき、前記加温モードの商品収納庫の略中央を境界として、前記商品収納庫の上部を予備加温層とし、前記商品収納庫の下部を販売加温層となるように分割する手段を有する請求項１から６のいずれか一項に記載の自動販売機。
【発明の詳細な説明】
【技術分野】
【０００１】
本発明は、缶飲料などの商品を冷却若しくは加温して販売する自動販売機に関するものである。
【背景技術】
【０００２】
近年、自動販売機に対する消費電力量削減の要求が高まってきている。
【０００３】
従来の自動販売機の消費電力量削減手段の一つとしては、冷却によって生じる廃熱を利用したものがある（例えば、特許文献１参照）。
【０００４】
以下、図面を参照しながら上記従来の自動販売機を説明する。
【０００５】
図６は、従来の自動販売機の冷媒回路図である。図６に示すように、圧縮機１０と熱源側熱交換器２０を有する熱源側ユニット２２と、利用側熱交換器３０、３２、３４を有する利用側ユニット３６、３８、４０からなり、熱源側熱交換器２０が圧縮機１０の冷媒吐出管５０と冷媒吸込管５２に切替弁５４、５６を介して分岐接続されている。冷媒吐出管５０と分岐接続された高圧ガス管６０、冷媒吸込管５２と分岐接続された低圧ガス管６２および熱源側熱交換器２０と接続された液管６４が設けられている。利用側熱交換器３２、３４がそれぞれ高圧ガス管６０と低圧ガス管６２に切替弁７０、７２、７４、７６を介して分岐接続され、利用側ユニット３６、３８、４０がそれぞれ自動販売機の各庫内に配設されている。
【０００６】
以上のように構成された自動販売機について、以下その動作を説明する。
【０００７】
まず、すべての庫内を冷却する場合には、切替弁５４、７２、７６を開き、切替弁５６、７０、７４を閉じることにより、圧縮機１０から吐出された冷媒は、冷媒吐出管５０を経て凝縮器として作用する熱源側熱交換器２０を流れた後、液管６４を経て蒸発器として作用する各利用側熱交換器３０、３２、３４に分配されて流れ、再び低圧ガス管６２で合流し、冷媒吸込管５２を経て圧縮機１０に吸い込まれる。これにより、すべての庫内が冷却される。次に、利用側ユニット３６、３８が配設された庫内を冷却し、利用側ユニット４０が配設された庫内を加温する場合には、切替弁５４、７２、７４を開き、切替弁５６、７０、７６を閉じることによって、圧縮機１０から吐出された冷媒の一部は冷媒吐出管５０を経て凝縮器として作用する熱源側熱交換器２０を流れるとともに、残りの冷媒は高圧ガス管６０を経て凝縮器として作用する利用側熱交換器３４を流れ、各熱交換器で凝縮した冷媒は、液管６４を経て蒸発器として作用する利用側熱交換器３０、３２に流れ、再び低圧ガス管６２で合流し、冷媒吸込管５２を経て圧縮機１０に吸い込まれる。これにより、利用側ユニット３６、３８が配設された庫内は冷却され、利用側ユニット４０が配設された庫内は加温される。
【特許文献１】特開２００１−８４４４７号公報
【発明の開示】
【発明が解決しようとする課題】
【０００８】
しかしながら、上記従来の構成は、利用側熱交換器を蒸発器としても凝縮器としても作用させるため、冷却若しくは加温のどちらかで能力不足になり、加温時における能力不足には補助ヒータにより加温補助を行うため、消費電力量の大幅な削減はできないという課題があった。
【０００９】
本発明は、従来の課題を解決するもので、消費電力量を削減できる自動販売機を提供することを目的とする。
【００１０】
また、上記従来の構成は、加温時に庫内全体を加温してしまい、長時間加温された商品が劣化してしまうという課題があった。
【００１１】
本発明の他の目的は、加温による商品の劣化を防止する自動販売機を提供することである。
【課題を解決するための手段】
【００１２】
上記課題を解決するため、本発明の自動販売機は、複数の商品収納庫を有し、前記商品収納庫内に投入された商品を冷却若しくは加温し、販売口より販売する自動販売機において、前記商品収納庫を冷却若しくは加温可能に配置したヒートポンプシステムと、前記商品収納庫内を加温可能に配置した加温システムとで構成されたものであり、前記ヒートポンプシステムは最適な冷却能力が得られるように設計されるとともに、冷却モードの商品収納庫を冷却した廃熱を加温モードの商品収納庫の加温に利用し、加温能力不足が生じた場合には、前記加温システムにより加温補助を行うことで、システム効率が向上する。
【発明の効果】
【００１３】
本発明の自動販売機によれば、複数の商品収納庫を有し、商品収納庫内に投入された商品を冷却若しくは加温し、販売口より販売する自動販売機において、商品収納庫内を冷媒切替回路を用いて冷却若しくは加温可能に配置したヒートポンプシステムと、商品収納庫内を加温可能に配置した加温システムとで構成され、加温システムにより加温補助を行うことで、ヒートポンプシステムは最適な冷却能力が得られるように設計することが可能になるとともに、ヒートポンプシステムによる冷却によって生じる廃熱を利用して他の商品収納庫の加温を行うことで、システム効率を向上させることができ、消費電力量を削減するという効果がある。
【発明を実施するための最良の形態】
【００１４】
請求項１に記載の自動販売機の発明は、複数の商品収納庫を有し、前記商品収納庫内に投入された商品を冷却若しくは加温し、販売口より販売する自動販売機において、前記商品収納庫を冷却若しくは加温可能に配置したヒートポンプシステムと、前記商品収納庫内を加温可能に配置した加温システムとで構成されたものであり、前記ヒートポンプシステムは最適な冷却能力が得られるように設計されるとともに、冷却モードの商品収納庫を冷却した廃熱を加温モードの商品収納庫の加温に利用し、加温能力不足が生じた場合には、前記加温システムにより加温補助を行うことで、システム効率が向上する。
【００１５】
請求項２に記載の発明は、請求項１に記載の発明において、ヒートポンプシステムを構成する圧縮機と、加温システムを構成する圧縮機の少なくとも一方が、運転周波数変換手段を有したインバータ圧縮機としたものであり、起動時など冷却能力若しくは加温能力が最大限必要な場合にのみ運転周波数を上げ、安定時には運転周波数を下げることにより、極端な蒸発温度の低下および急激な変動を抑え、システム効率を向上することができる。
【００１６】
請求項３に記載の発明は、請求項１または請求項２に記載の発明において、ヒートポンプシステムと加温システムで異なる冷媒を用いたものであり、それぞれのシステムで最適な冷媒を用いることにより、システム効率を向上させることができる。
【００１７】
請求項４に記載の発明は、請求項３に記載の発明において、ヒートポンプシステムの冷媒に炭化水素系の自然冷媒を用い、かつ加温システムの冷媒に二酸化炭素を用いたものであり、それぞれのシステムに最適な自然冷媒を用いることにより、システム効率を向上させるとともに、地球のオゾン層を破壊せず、かつ地球温暖化を防止する。
【００１８】
請求項５に記載の発明は、請求項１から４のいずれか一項に記載の発明において、加温システムを構成している圧縮機が複数のシリンダを有する多段階の圧縮を行う回転型圧縮機であり、多段階に分けて圧縮することで、１回の圧縮での圧縮比が小さくなり圧縮効率が向上するとともに、圧縮機出口温度を下げることで、圧縮機の信頼性が向上する。
【００１９】
請求項６に記載の発明は、請求項１から５のいずれか一項に記載の発明において、商品収納庫内のヒートポンプシステムを構成する熱交換器が前記商品収納庫内上部に配設され、加温システムを構成する凝縮器が前記商品収納庫下部に配設されたものであり、加温能力の低い前記ヒートポンプシステムの熱交換器を商品収納庫内上部に配設し、前記商品収納庫内に温度勾配をつけることで、加温による商品の劣化を防止する。
【００２０】
請求項７に記載の発明は、請求項１から６のいずれか一項に記載の発明において、商品収納庫の少なくとも一つが加温モードであるとき、前記加温モードの商品収納庫の略中央を境界として、前記商品収納庫の上部を予備加温層とし、前記商品収納庫の下部を販売加温層となるように分割する手段を有したものであり、予備加温層と販売加温層を明確に分割することで、温度制御が容易になり、より効果的に加温による商品の劣化を防止することができる。
【００２１】
以下、本発明の実施の形態について、図面を参照しながら説明する。なお、従来と同一構成については、同一符号を付して詳細な説明を省略する。また、この実施の形態によってこの発明が限定されるものではない。
【００２２】
（実施の形態１）
図１は、本発明の実施の形態１による自動販売機のヒートポンプシステムおよび加温システムの概略構成図である。
【００２３】
図１において、自動販売機１１０は、上部左側に冷却専用の商品収納庫１２０と上部の真ん中と右側に冷却と加温が切替可能な商品収納庫１２２、１２４と、下部に機械室１２６を有している。各商品収納庫１２０、１２２、１２４は断熱壁１３０によって、外部および機械室１２６から断熱されており、同じく断熱壁１３２、１３４によって各商品収納庫１２０、１２２、１２４間が断熱され所望の温度空間となる。各商品収納庫１２０、１２２、１２４には缶ビン飲料などの販売商品１３６が収納されている。
【００２４】
また、ヒートポンプシステム１４０は、圧縮機１４２、機械室１２６に配設された凝縮器１４４、商品収納庫１２０内に配設された蒸発器１４６、商品収納庫１２２、１２４内に配設された熱交換器１４８、１５０、流路の開閉が可能な電磁弁１５２、１５４、１５６、１５８、１６０、１６２、１６４、１６６、１６８、１７０、減圧手段としての膨張弁１７２、１７４、１７６とから構成されている。凝縮器１４４は、圧縮機１４２の冷媒吐出管１８０と電磁弁１５２を介して分岐接続されるとともに、液管１８２と電磁弁１５４を介して分岐接続されている。また、蒸発器１４６は、液管１８２と電磁弁１５６と膨張弁１７２を介して接続されるとともに、圧縮機１４２の冷媒吸込管１８４と分岐接続された低圧ガス管１８６と分岐接続されている。また、熱交換器１４８、１５０は、冷媒吐出管１８０と電磁弁１５８を介して分岐接続された高圧ガス管１８８と電磁弁１６０、１６２を介して接続されるとともに、低圧ガス管１８６と電磁弁１６４、１６６を介して接続され、さらに電磁弁１６８、１７０と膨張弁１７４、１７６を介して液管１８２に接続されている。凝縮器１４４と蒸発器の側には送風ファン１９０、１９２を設けている。また、本実施の形態のヒートポンプサイクルには、炭化水素系の自然冷媒の一種であるＲ６００ａ（イソブタン）が封入されており、最適な冷却能力が得られるように設計した。
【００２５】
さらに、加温システム２００は、圧縮機２０２、機械室１２６に配設された蒸発器２０４、流路の開閉が可能な電磁弁２０６、２０８、減圧手段としての膨張弁２１０、２１２、商品収納庫１２２、１２４内に配設されたガスクーラー２１４、２１６を配管で環状回路に接続し、ここではＲ７４４（二酸化炭素）を封入して加温サイクルを構成している。各ガスクーラーの側には送風ファン２１８、２２０を設けている。
【００２６】
以上のように構成された自動販売機において、各商品収納庫１２０、１２２、１２４のすべてを冷却する場合の実施の形態について、以下その動作を説明する。
【００２７】
図１において、各商品収納庫１２０、１２２、１２４のすべてを冷却する場合には、ヒートポンプシステム１４０において、電磁弁１５２、１５４、１５６、１６４、１６６、１６８、１７０を開き、電磁弁１５８、１６０、１６２を閉じることにより、圧縮機１４２より吐出した冷媒は矢印のように流れ、冷媒吐出管１８０、電磁弁１５２を介して凝縮器１４４に流入し、ファン１９０により送風された外気と間接的に熱交換して自らは液化し、さらに電磁弁１５４、液管１８２を経て、各膨張弁１７２、１７４、１７６に分配され、ここで減圧され、蒸発器１４６および熱交換器１４８、１５０に流入する。なお、この場合、熱交換器１４８、１５０は蒸発器として作用する。
【００２８】
ここでは、ファン１９２、２１８、２２０により送風された各商品収納庫１２０、１２２、１２４内の空間にある空気と間接的に熱交換し、自らは気化して、電磁弁１６４、１６６を介して、低圧ガス管１８６で合流し、冷媒吸込管１８４を経て、再び圧縮機１４２に帰還するサイクルを繰り返す。
【００２９】
このようにして各商品収納庫１２０、１２２、１２４内の空間にある空気は徐々に冷却され、その冷却空気と接触する販売商品１３６も徐々に冷却され所望の温度に到達する。
【００３０】
なお、この場合、当然に加温システム２００は停止している。
【００３１】
（実施の形態２）
次に、商品収納庫１２０、１２２を冷却するとともに、商品収納庫１２４を加温する実施の形態について説明する。
【００３２】
図２は、商品収納庫１２０、１２２を冷却するとともに、商品収納庫１２４を加温する実施の形態２の自動販売機のヒートポンプシステムおよび加温システムの概略構成図である。
【００３３】
図２において、商品収納庫１２０、１２２を冷却するとともに、商品収納庫１２４を加温する場合には、ヒートポンプシステムにおいて、電磁弁１５６、１５８、１６２、１６４、１６８、１７０を開き、電磁弁１５２、１５４、１６０、１６６を閉じることにより、圧縮機１４２より吐出した冷媒は矢印のように流れ、冷媒吐出管１８０、電磁弁１５８、高圧ガス管１８８を経て、電磁弁１６２を介して熱交換器１５０に流入し、ファン２２０により送風された商品収納庫１２４内の空間の空気と間接的に熱交換し、自らは液化し、さらに膨張弁１７６で減圧され、電磁弁１７０、液管１８２を経て、電磁弁１５６、１６０を介して蒸発器１４６、熱交換器１４８に分配される。なお、膨張弁１７２、１７４を通過する時には減圧されないものとする。また、この場合、熱交換器１４８は蒸発器として、熱交換器１５０は凝縮器として作用する。
【００３４】
ここでは、ファン１９２、２１８により送風された商品収納庫１２０、１２２内の空間の空気と間接的に熱交換し、自らは気化して、電磁弁１６４を介して、低圧ガス管１８６で合流し、冷媒吸込管１８４を経て、再び圧縮機に帰還するサイクルを繰り返す。
【００３５】
一方、加温サイクルにおいては、電磁弁２０８を開き、電磁弁２０６を閉じることにより、圧縮機２０２より吐出した冷媒は矢印のように流れ、電磁弁２０８を通過してガスクーラー２１６に流入し、ファン２２０により送風された商品収納庫１２４内の空間にある空気と間接的に熱交換して自らは温度を下げ、膨張弁２１２により減圧され、液化して蒸発器２０４に流入する。
【００３６】
なお、本実施の形態においては加温システムの冷媒を二酸化炭素としたため、ガスクーラーと膨張弁を使用したが、凝縮するような冷媒を使用した場合は、凝縮器やキャピラリ伝熱管を使用することとなる。
【００３７】
ここでは、ファン１９０により送風された外気と間接的に熱交換して自らは気化して、再び２０２に帰還するサイクルを繰り返す。
【００３８】
このようにして商品収納庫１２０、１２２内の空間にある空気は徐々に冷却されるとともに、商品収納庫１２４内の空間にある空気は徐々に加温され、各商品収納庫内の販売商品１３６は徐々に所望の温度に到達する。
【００３９】
（実施の形態３）
次に、商品収納庫１２０を冷却するとともに、商品収納庫１２２、１２４を加温する実施の形態について説明する。
【００４０】
図３は、実施の形態３の自動販売機のヒートポンプシステムおよび加温システムの概略構成図である。
【００４１】
商品収納庫１２０を冷却するとともに、商品収納庫１２２、１２４を加温する場合には、ヒートポンプシステムにおいて、電磁弁１５６、１５８、１６０、１６２、１６８、１７０を開き、電磁弁１５２、１５４、１６４、１６６を閉じることにより、圧縮機１４２より吐出した冷媒は矢印のように流れ、冷媒吐出管１８０、電磁弁１５８、高圧ガス管１８８を経て、電磁弁１６０、１６２を介して熱交換器１４８、１５０に分配され、ファン２１８、２２０により送風された商品収納庫１２２、１２４内の空間の空気と間接的に熱交換し、自らは液化し、さらに膨張弁１７４、１７６で減圧され、電磁弁１６８、１７０を介して、液管１８２で合流し、電磁弁１５６を介して蒸発器１４６に流入する。なお、膨張弁１７２を通過する時には減圧されないものとする。また、この場合、熱交換器１４８、１５０は凝縮器として作用する。
【００４２】
ここでは、ファン１９２により送風された商品収納庫１２０内の空間の空気と間接的に熱交換し、自らは気化して、低圧ガス管１８６、冷媒吸込管１８４を経て、再び圧縮機に帰還するサイクルを繰り返す。
【００４３】
一方、加温サイクルにおいては、電磁弁２０６、２０８を開くことにより、圧縮機２０２より吐出した冷媒は矢印のように流れ、電磁弁２０６、２０８を介してガスクーラー２１４、２１６に分配され、ファン２１８、２２０により送風された商品収納庫１２２、１２４内の空間にある空気と間接的に熱交換して自らは温度を下げ、膨張弁２１０、２１２により減圧され、液化して蒸発器２０４に流入する。
【００４４】
ここでは、ファン１９０により送風された外気と間接的に熱交換して自らは気化して、再び２０２に帰還するサイクルを繰り返す。
【００４５】
このようにして商品収納庫１２０内の空間にある空気は徐々に冷却されるとともに、商品収納庫１２２、１２４内の空間にある空気は徐々に加温され、各商品収納庫内の販売商品１３６は徐々に所望の温度に到達する。
【００４６】
したがって、商品収納庫の少なくとも一つが加温モードの場合、冷却モードの商品収納庫を冷却した廃熱を利用して、加温することができるため、効率的に熱回収を行うことができるとともに、加温システムで加温補助を行うことで、電気ヒータで加温補助を行っていた従来の自動販売機と比較して、消費電力量を削減することができる。また、加温システムで加温補助を行うため、ヒートポンプシステムは最適な冷却能力が得られるように設計することができ、システム効率を向上させることができる。
【００４７】
さらに、本実施の形態では、ヒートポンプシステム１４０の冷媒としてＲ６００ａを使用し、加温システム２００の冷媒としてＲ７４４を使用したことで、それぞれのシステムで高い効率が得られるとともに、地球のオゾン層破壊や地球温暖化を防止することができる。また、加温システム２００の冷媒としてＲ７４４を使用したことで、圧縮機２０２を小型化することができる。
【００４８】
なお、本実施の形態において、冷却システム１４０に使用する炭化水素系の自然冷媒をＲ６００ａとしたが、他にもＲ２９０やＲ６００ａとＲ２９０の混合冷媒などが考えられる。
【００４９】
また、加温システム２００を構成する圧縮機２０２が二気筒二段圧縮を行う圧縮機とすることで、１回の圧縮での圧縮比が小さくすることができ、圧縮効率を向上させることができるとともに、圧縮機出口温度を下げることができ、圧縮機の信頼性を向上させることができる。
【００５０】
さらに、圧縮機１４２、２０２が運転周波数変換手段を有したインバータ圧縮機とすることで、起動時や商品投入時などのように販売商品１３６を所望の温度まで短時間で到達させるために運転周波数を上げ、所望の温度到達時には運転周波数を下げることができ、それによって極端な蒸発温度の低下および急激な変動を抑え、システム効率を向上することができる。
【００５１】
以上のように本実施の形態の自動販売機は、炭化水素系の自然冷媒を封入したヒートポンプシステム１４０と、二酸化炭素を封入した加温システム２００とから構成され、ヒートポンプシステム１４０を最適な冷却能力が得られるように設計し、冷却によって生じた廃熱を利用して他の商品収納庫の加温を行うとともに、加温システムで補助加温を行うことにより、システム効率を向上させ、消費電力量を削減することができる。
【００５２】
（実施の形態４）
図４は、本発明の実施の形態４による自動販売機のヒートポンプシステムおよび加温システムの概略構成図である。
【００５３】
図５は、実施の形態４による自動販売機の加温システムの概略構成図である。
【００５４】
図４において、ヒートポンプシステム１４０の熱交換器２２２、２２４は、商品収納庫１２２、１２４内上部に配設され、熱交換器２２２、２２４の側には送風ファン２３０、２３２が設けられている。
【００５５】
本実施の形態は、実施の形態３によるヒートポンプシステム１４０の熱交換器１４８、１５０の配設位置を商品収納庫内上部としたものである。
【００５６】
さらに、図５において、例えば、風路２４０、２４２を設けて、各商品収納庫１２２、１２４の略中央を境界として、上部を予備加温層２４４、下部を販売加温層２４６となるように分割する構成になっている。
【００５７】
なお、本実施の形態において、実施の形態３と同一構成については、同一符号を付して詳細な説明を省略する。
【００５８】
以上のように構成された自動販売機について、以下その動作を説明する。
【００５９】
ヒートポンプシステム１４０は、最適な冷却能力が得られるように設計されていることから、加温能力が不足し、所望の温度までは到達せず、加温システムにより、所望の温度まで到達させる。したがって、熱交換器２２２、２２４を商品収納庫１２２、１２４内上部に配設することで、商品収納庫１２２、１２４内上部を予備加温層とし、下部を販売加温層とすることができ、加温による商品の劣化を防止することができる。
【００６０】
また、商品収納庫１２２、１２４の略中央を境界として、風路２４０、２４２を設けることで、加温システム２００のガスクーラー２１４、２１６によって加温された空気は商品収納庫１２２、１２４底部から略中央まで上昇し風路２４２に吸い込まれ、再びガスクーラー２１４、２１６を通過し、循環するとともに、ヒートポンプシステム１４０の熱交換器２２２、２２４により加温された空気は商品収納庫１２２、１２４上部から略中央まで下降し風路２４０に吸い込まれ、再び熱交換器２２２、２２４を通過し、循環する。これによって、商品収納庫１２２、１２４の上部を予備加温層２４４とし、下部を販売加温層２４６となるように、分割することができ、より効果的に温度勾配をつけることができ、加温による販売商品１３６の劣化を防止することができる。
【００６１】
なお、本実施の形態では予備加温層２４４と販売加温層２４６を分割する手段の一つとして風路２４０、２４２を設けたが、仕切りやエアカーテンなどを使用しても良い。
【００６２】
以上のように本実施の形態の自動販売機は、ヒートポンプシステム１４０の熱交換器２２２、２２４が、商品収納庫１２２、１２４内上部に配設されるとともに、風路２４０、２４２を設けて、各商品収納庫１２２、１２４の略中央を境界として、上部を予備加温層２４４、下部を販売加温層２４６となるように分割することにより、加温による販売商品１３６の劣化を防止することができる。
【産業上の利用可能性】
【００６３】
以上のように、本発明にかかる自動販売機は、ヒートポンプシステムの最適能力設計が可能になるとともに、ヒートポンプシステムによって生じる廃熱を利用して他の商品収納庫の加温を行いシステム効率の向上が図れて消費電力量を削減するという効果があり、冷却，加熱の両機能を伴う機器の高効率化に有用である。
【図面の簡単な説明】
【００６４】
【図１】本発明の実施の形態１による自動販売機のヒートポンプシステムおよび加温システムの概略構成図
【図２】本発明の実施の形態２の自動販売機のヒートポンプシステムおよび加温システムの概略構成図
【図３】本発明の実施の形態３の自動販売機のヒートポンプシステムおよび加温システムの概略構成図
【図４】本発明の実施の形態４による自動販売機のヒートポンプシステムおよび加温システムの概略構成図
【図５】同実施の形態による自動販売機の加温システムの概略構成図
【図６】従来の自動販売機の冷媒回路図
【符号の説明】
【００６５】
１１０    自動販売機
１２０、１２２、１２４    商品収納庫
１３６    販売商品
１４０    ヒートポンプシステム
１４２    圧縮機
２００    加温システム
２０２    圧縮機
２１４、２１６    ガスクーラー
２２２、２２４    熱交換器
２４０、２４２    風路
２４４    予備加温層
２４６    販売加温層
【図１】
2005202639.tif 000003
【図２】
2005202639.tif 000004
【図３】
2005202639.tif 000005
【図４】
2005202639.tif 000006
【図５】
2005202639.tif 000007
【図６】
2005202639.tif 000008